(57)【要約】【課題】空間内の多様な状況に対応した相応しいシーン状態を空間内の人に享受させることができる空間制御システムを提供することにある。【解決手段】制御装置７は、照明装置１，空調装置２、ＡＶ装置５などの機器を設置した空間（例えば居間Ａ）内に居る人Ｍに関する物理情報を人Ｍが携帯するＩＤタグ８からリーダ・ライタ３で読み取ることで取得し、その取得した物理情報に対応するシーン状態を、予め設定している設定情報を参照して当該物理情報に関連する前記制御対象機器を制御することで創出する。【選択図】図１
2007173126.tif 000002
【特許請求の範囲】
【請求項１】
制御対象機器を設置した空間内に居る人に関する物理情報を取得する情報取得手段と、前記情報取得手段で取得した物理情報に対応するシーン状態を、予め設定している設定情報を参照して当該物理情報に関連する前記制御対象機器を制御することで創出する制御手段とを備えていることを特徴とする空間制御システム。
【請求項２】
前記情報取得手段が複数種の物理情報を同時に取得した場合に、前記制御手段は夫々の物理情報を複合的に判断して前記制御対象機器を制御することを特徴とする請求項１記載の空間制御システム。
【請求項３】
前記物理情報が、前記空間内に居る人数の情報や、人の性別、年齢などの個人属性情報を少なくとも含むことを特徴とする請求項１又は２記載の空間制御システム。
【請求項４】
前記情報取得手段は、前記空間に居る人が携帯するＲＦ型のＩＤタグの情報をリーダ手段で読み取って該情報から物理情報を取得することを特徴とする請求項１乃至３の何れか記載の空間制御システム。
【発明の詳細な説明】
【技術分野】
【０００１】
本発明は、居住空間等、人が居る空間のシーン状態を創り出す空間制御システムに関するものである。
【背景技術】
【０００２】
居住空間に設けた機器を生活シーンに即するように制御する装置が従来提供されている（特許文献１）。
【０００３】
この特許文献１に開示されているシーン制御処理装置は、予め決められた条件機器の起動により自動的に電気機器を制御することで、所定の生活シーンを実現する装置である。
【特許文献１】特許第３４６５９１４号（段落番号０００５、００１３、００２９。００３２）。
【発明の開示】
【発明が解決しようとする課題】
【０００４】
上述の特許文献１に開示されているシーン制御処理装置は、条件機器として人感センサ等を用いている構成が記載されているが、空間内の多様な状況に応じてシーンを創り出すようになっていなかった。
【０００５】
本発明は、上述の点に鑑みて為されたもので、その目的とするところは、制御対象となる空間内の多様な状況に対応した相応しいシーン状態を創り出して空間内の人に享受させることができる空間制御システムを提供することにある。
【課題を解決するための手段】
【０００６】
上述の目的を達成するために、請求項１の発明では、制御対象機器を設置した空間内に居る人に関する物理情報を取得する情報取得手段と、前記情報取得手段で取得した物理情報に対応するシーン状態を、予め設定している設定情報を参照して当該物理情報に関連する前記制御対象機器を制御することで創出する制御手段とを備えていることを特徴とする。
【０００７】
請求項１の発明によれば、シーン状態を空間内に居る人に関する物理情報に対応付けて創り出すことができ、そのため空間内の多様な状況に対応した相応しいシーン状態を空間内の人に享受させることができる。
【０００８】
請求項２の発明では、請求項１の発明において、前記情報取得手段が複数種の物理情報を同時に取得した場合に、前記制御手段は夫々の物理情報を複合的に判断して前記制御対象機器を制御することを特徴とする。
【０００９】
請求項２の発明によれば、空間内の多様な状況において、最も相応しいシーン状態を創り出すことができる。
【００１０】
請求項３の発明では、請求項１又は２の発明において、前記物理情報が、前記空間内に居る人数の情報や、人の性別、年齢などの個人属性情報を少なくとも含むことを特徴とする。
【００１１】
請求項３の発明によれば、空間内に居る人個人よりも人数に対応したシーン状態や、個人にとって相応しいシーン状態を提供することができる。
【００１２】
請求項４の発明では、請求項１乃至３の何れかの発明において、前記情報取得手段は、前記空間に居る人が携帯するＲＦ型のＩＤタグの情報をリーダ手段で読み取って該情報から物理情報を取得することを特徴とする。
【００１３】
請求項４の発明によれば、人の物理情報を正確に取得することができ、空間内に居る人に相応しいシーン状態を精度良く創ることができる。
【発明の効果】
【００１４】
本発明は、空間内のシーン状態を空間内に居る人に関する物理情報に対応付けて創り出すことができ、そのため空間内の多様な状況に対応した相応しいシーン状態を空間内の人に享受させることができるという効果がある。
【発明を実施するための最良の形態】
【００１５】
以下本発明を実施形態により説明する。
【００１６】
図１は住宅の居間Ａに設置した本発明の一実施形態を示しており、天井部には居間Ａを照明する調光機能付き照明装置１や、居間Ａの温度、湿度等を制御する空調装置２を設けるとともに、更に居間Ａ内を送受信エリアとするＲＦ型ＩＤ対応のリーダ・ライタ３と、居間Ａの温度・湿度を夫々検出する温度・湿度センサ４とを居間Ａ内の適所に設けてある。
【００１７】
また居間Ａに配置されるＴＶ受像機、ステレオ装置、ＤＶＤレコーダ等からなるオーディオ・ビジュアル装置（以下ＡＶ装置と略す）５にソファ６が対置されている。
【００１８】
ここで照明装置１は後述する制御装置７からの制御信号Ｓ１により光出力が消灯状態から全点灯状態の全範囲で調光制御可能なもので、居間Ａ内の明るさを創り出すようになっている。
【００１９】
空調装置２は、居間Ａ内に設けた温度・湿度センサ４の検出温度、検出湿度に基づいた制御装置７からの空調制御信号Ｓ２により制御され、居間Ａ内の空調環境を所定の条件で創り出すようになっている。
【００２０】
またＡＶ装置５は、制御装置７へ動作信号Ｄ１を送るとともに制御装置７から制御信号Ｓ３により動作のオン／オフや、再生音量の制御が強制的に為されるようになっている。
【００２１】
制御装置７は図２に示すよう演算処理部７０と、演算処理部７０の動作プログラムや、空間制御に用いる後述する設定情報等を格納している記憶部７１と、演算出力部７０と外部との間の信号授受のための入出力インターフェース７２とから構成される。
【００２２】
演算処理部７０は、居間Ａに居る人Ｍが携帯しているＲＦ型のＩＤタグ８とリーダ・ライタ３との情報の授受により、居間Ａに居る人の数をカウントするとともに、各ＩＤタグ８に登録されている携帯者の個人属性情報（年齢・性別）を夫々人Ｍの物理情報として取得する情報取得手段としての機能と、記憶部７１に予め格納している設定情報を参照し、取得した物理情報に関連する機器（照明装置１，空調装置２、ＡＶ装置５）を選択制御することで、物理情報に対応し居間Ａ内に居る人Ｍの状況に相応しいシーン状態を創り出す制御手段として機能とを備えている。
【００２３】
次にシーン状態を創り出す制御装置７の動作を説明する。
【００２４】
尚ＩＤタグ８は家族の一人一人が携帯するものとし、夫々が携帯するＩＤタグ８には当該人物の個人属性情報が書き込まれているものとする。
【００２５】
而して制御装置７の演算処理部７０は常時リーダ・ライタ３が読み取る情報Ｄ２をモニタし、情報Ｄ２の取得の有無から居間Ａに人Ｍが居るか否かを判断する処理を行う。そして図１に示すように居間Ａに人Ｍが在室していることがリーダ・ライタ３の情報Ｄ２から判ると、制御装置７の演算処理部７０は、リーダ・ライタ３により読み取ったＩＤタグ８の個人属性情報から人Ｍが子供か、或いは老人（祖母や祖父）かを判定する。
【００２６】
そして先ず制御装置７に演算処理部７０は、リーダ・ライタ３での情報Ｄ２の読み取りがあって人Ｍが居ると判定すると、先ず記憶部７１に格納している設定情報を参照した上で、照明装置１を点灯させる制御信号Ｓ１を生成して照明装置１に送る。この場合情報読み取りが行われたＩＤタグ８の数から居間Ａに居る人数を判定して、この判定した人数に最適な照明装置１の光出力を設定情報（人数に対応する光出力の設定情報）に基づいて決定し、この決定した光出力となるように照明装置１を調光制御する制御データを上述の制御信号Ｓ１により照明装置１に送る。
【００２７】
これにより例えば居間Ａに居る人Ｍの人数に応じた照居間Ａの照明環境を創り出すことができる。例えば一人の場合にはやや光出力を低くして、落ち着いた照明環境を創り、また一定以上の人数になった場合には照明装置１を全点灯に切り替えることで、居間全体を明るくする照明環境を創ることができる。尚人Ｍが居間Ａから出て行って存在人数が０となった場合には、制御装置７の演算処理部７０は、内蔵時計（図示せず）の計時情報に基づいて照明装置１を一定時間後に消灯させる制御信号Ｓ１を照明装置１へ送り、消し忘れを防ぐ。
【００２８】
また、制御装置７の演算処理部７０は居間Ａに人Ｍが居ると判定すると、設定情報を参照して、居間Ａの空調環境が最適となるように空調装置２に制御信号Ｓ２を送って空調を開始させる。この場合人Ｍが発散する熱、湿気などによって居間Ａ内の温度・湿度が変化するため、演算処理部７０は設定情報に基づいて設定した最適温度・最適湿度となるように、温度・湿度センサ４が検知する温度・湿度の検知情報Ｄ３を基に空調装置２をフィードバック制御する。これにより居間Ａに居る人Ｍの数に無関係に居間Ａの空調環境を最適なものとすることできる。この空調装置２の制御も人Ｍが居間Ａから出て行って存在人数が０となった場合には、一定時間後に空調装置２の運転を停止させる。また空調装置２の運転開始時においては、演算処理部７は、居間Ａに居る人Ｍの人数と、設定情報に示される空調装置２の空調能力とから、短時間で上述の最適な空調環境を得られる空調能力を設定する制御信号Ｓ２を空調装置２へ送る。これにより人数に関係なく最適な空調環境が速やかに得られることになる。
【００２９】
更にＡＶ装置５のＴＶ受像機がオンされた場合、制御装置７は内蔵時計の時刻から夜間か昼間かを判断し、その判断結果と設定情報に基づいてＴＶ受像機の画像モード（画面の明るさ等の調整モード）を時間帯に相応しいモードとなるように制御する制御信号Ｓ３を送る。
【００３０】
このＡＶ装置５がオンされたときに、居間Ａに居る人Ｍが一人であって、且つその人Ｍの個人属性が老齢者（家族であれば祖父や祖母等）であれば、設定情報に基づいて年齢に対応する音量（この場合には標準音量よりも所定だけ大きな音量）に設定するＡＶ制御信号Ｓ３を送る。更に居間Ａに居る人Ｍの数が複数の場合は、話声などにより聴き取り難くなることを想定して標準音量より大きな音量に設定する制御信号Ｓ３を送る。勿論これらの制御は設定情報を参照することで行われる。
【００３１】
また人Ｍが子供である場合には、制御装置７は視聴開始からの時間を内蔵時計に基づいてカウントし、設定情報に示される一定時間（例えば１時間）が経過したときに強制的にＴＶ受像機をオフするＡＶ制御信号Ｓ３を出力し、一定時間以上の視聴を制限する処理を行う。
【００３２】
このように本実施形態では、空調や照明のような空間環境を制御対象である空間（実施形態では居間Ａ）に居る人Ｍの数によって最適な状態に設定するとともに、空間に存在する機器（実施形態ではＡＶ装置５）を利用する人Ｍの個人属性を加味して制御することで、空間全体のシーン状態を最適なものとすることができるのである。
【００３３】
尚本発明は上述のような居間Ａのシーン状態を制御するものに限定されず、例えば浴室であれば、脱衣する空間においてＩＤタグから入浴する人の中に子供がいるか否かを判定し、その判定結果に基づいてバスタブにはる湯の温度を低めにしたり、シャワーから出す湯の温度を低めにする等の制御にも適用できる。
【００３４】
更にはダイニング等、その他の空間においてもその空間に設置される機器を空間に居る人の物理情報（人数、年齢、性別）に対応して制御することもできる。
【００３５】
またＩＤタグ以外に、人感センサの検知信号や、ＴＶカメラを利用した画像処理によって空間内の人の存否、人数を判定する周知の技術を用いても良い。或いは複数の技術を併用することでも勿論良い。
【００３６】
ところで、エミット（ＥＭＩＴ（Embedded Micro Internetworking Technology）)と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末（図示せず）から様々な設備機器（照明装置、空調装置、動力装置、センサ、電気錠、ウェブカメラ等、以降、ＥＭＩＴ端末と称する。）＜図示せず＞にアクセスして、ＥＭＩＴ端末を遠隔監視・制御することができるシステムがある。
【００３７】
尚、ＥＭＩＴ端末は、マイコン搭載の組み込み機器であり、機器組み込み型のネット接続用ミドルウェアでありＥＭＩＴ技術を実現するＥＭＩＴソフトウェアが搭載されている。
【００３８】
上述のＥＭＩＴ技術を応用したシステム（以降、ＥＭＩＴシステムと称する。）としては、外部端末がインターネット上に設けられたセンタサーバ（図示せず）経由でＥＭＩＴ端末を遠隔監視・制御する構成のものや、センタサーバを介することなく、例えばＥＭＩＴソフトウェアが搭載された外部端末から、直接各ＥＭＩＴ端末にアクセスしてＥＭＩＴ端末を遠隔監視・制御する構成のものを挙げることができる。
【００３９】
そこで本発明において、被制御機器と制御装置との間の情報授受にこのＥＭＩＴ技術を利用しても良い。
【図面の簡単な説明】
【００４０】
【図１】一実施形態のシステム構成図である。
【図２】一実施形態に用いる制御装置のブロック図である。
【符号の説明】
【００４１】
１  照明装置
２  空調装置
３  リーダ・ライタ３
４  温度・湿度センサ
５  オーディオ・ビジュアル装置
６  ソファ
７  制御装置
８  ＩＤタグ
【図１】
2007173126.tif 000003
【図２】
2007173126.tif 000004